(57)【特許請求の範囲】
【請求項１】
中央に形成される嵌挿孔（３７）と該嵌挿孔（３７）の両側に設けられ弾性力によりブラシ（４０）を保持する一対の保持片（３８）とを備えるブラシ保持部（３４）と、該ブラシ保持部（３４）を整流子側に付勢するためのブラシスプリング（３３）とを一体に備えたターミナル（３０ａ，３０ｂ）をフープ材（７１）にプレス加工を施して形成し、その後、ブラシ保持部（３４）に対してブラシ（４０）を装着するようにしたモータ部品の製造方法であって、
前記ブラシスプリング（３３）、及び前記フープ材（７１）におけるブラシ保持部（３４）との間に介在される連結部（７２，７３）により、少なくとも３箇所でブラシ保持部（３４）が支持されるとともに、前記嵌挿孔（３７）と保持片（３８）とがブラシ保持部（３４）に形成されるように前記ターミナル（３０ａ，３０ｂ）をプレス打ち抜き加工し、
該プレス打ち抜き加工後、該ターミナル（３０ａ，３０ｂ）がフープ材（７１）に連結した状態で前記保持片（３８）を折り曲げ加工し、
該折り曲げ加工後、ターミナル（３０ａ，３０ｂ）がフープ材（７１）に連結した状態で前記ブラシ（４０）の一部を前記嵌挿孔（３７）に嵌挿した後に前記保持片（３８）間に圧入してブラシ（４０）が前記ブラシ保持部（３４）に保持されるようにし、
その後、ターミナル（３０ａ，３０ｂ）をフープ材（７１）から切り離すようにしたことを特徴とするモータ部品の製造方法。
【請求項２】
請求項１に記載のモータ部品の製造方法において、
前記ブラシ保持部（３４）は略矩形状をなしており、前記ターミナル（３０ａ，３０ｂ）と前記フープ材（７１）との連結状態においては、前記ブラシスプリング（３３）が連結する辺の対向辺の両端部が連結部（７２，７３）を介してフープ材（７１）にそれぞれ連結していることを特徴とするモータ部品の製造方法。
【請求項３】
請求項１又は２に記載のモータ部品の製造方法において、
前記ブラシ保持部（３４）に対してブラシ（４０）を装着した後、前記ターミナル（３０ａ，３０ｂ）をフープ材（７１）から切り離すとともに前記ブラシスプリング（３３）を折り曲げ加工することを特徴とするモータ部品の製造方法。
【請求項４】
請求項１〜３のいずれか１項に記載のモータ部品の製造方法において、
前記ターミナル（３０ａ，３０ｂ）は、前記フープ材（７１）に複数個連続して形成されるものであり、そのブラシ保持部（３４）が前記フープ材（７１）の長手方向に沿って同一直線上に位置するように形成されることを特徴とするモータ部品の製造方法。
【発明の詳細な説明】
【０００１】
【発明の属する技術分野】
本発明は、モータ部品の製造方法に関するものである。
【０００２】
【従来の技術】
モータの給電用のターミナルにおいて、ブラシを保持するブラシ保持部と該ブラシ保持部を整流子側に付勢するためのブラシスプリングとを一体に備え、プレス打ち抜き及び折り曲げ加工により一枚の板材（フープ材）から形成したものがある。このようなターミナルは、従来より、フープ材から切り離した後に手作業でブラシをブラシ保持部に取り付けるようにしていた。
【０００３】
しかしながら、このブラシを取り付ける作業は煩雑な作業で作業効率が悪く、コストの上昇を招いていた。そこで、機械による自動組み付けが考えられた。この場合、一端切り離したターミナルを所定位置に位置決め保持することは難しいため、フープ材上でブラシをターミナル（ブラシ保持部）に直接組み付け、その後、切り離すようにすることが考えられた。
【０００４】
【発明が解決しようとする課題】
ところが、フープ材上のターミナルは、後工程の切り離し作業を容易に行うために該フープ材に対して最小限の連結部にて連結している。従って、ターミナル、即ちブラシ保持部は上下移動や捩れるといった無用な移動が生じやすく、ブラシ保持部に対するブラシの自動組み付けは困難であった。そのため、このようなブラシ保持部の無用な移動を効果的に抑制して、ブラシの組み付け作業を容易とすることが要求されている。
【０００５】
本発明は、上記問題点を解決するためになされたものであって、その目的は、フープ材上のターミナルに一体形成したブラシ保持部に対してブラシを組み付けるようにしたモータ部品の製造方法であって、そのブラシの組み付け作業を容易とすることにある。
【０００６】
【課題を解決するための手段】
請求項１に記載の発明は、中央に形成される嵌挿孔と該嵌挿孔の両側に設けられ弾性力によりブラシを保持する一対の保持片とを備えるブラシ保持部と、該ブラシ保持部を整流子側に付勢するためのブラシスプリングとを一体に備えたターミナルをフープ材にプレス加工を施して形成し、その後、ブラシ保持部に対してブラシを装着するようにしたモータ部品の製造方法であって、前記ブラシスプリング、及び前記フープ材におけるブラシ保持部との間に介在される連結部により、少なくとも３箇所でブラシ保持部が支持されるとともに、前記嵌挿孔と保持片とがブラシ保持部に形成されるように前記ターミナルをプレス打ち抜き加工し、該プレス打ち抜き加工後、該ターミナルがフープ材に連結した状態で前記保持片を折り曲げ加工し、該折り曲げ加工後、ターミナルがフープ材に連結した状態で前記ブラシの一部を前記嵌挿孔に嵌挿した後に前記保持片間に圧入してブラシが前記ブラシ保持部に保持されるようにし、その後、ターミナルをフープ材から切り離すようにした。
【０００７】
請求項２に記載の発明は、請求項１に記載のモータ部品の製造方法において、前記ブラシ保持部は略矩形状をなしており、前記ターミナルと前記フープ材との連結状態においては、前記ブラシスプリングが連結する辺の対向辺の両端部が連結部を介してフープ材にそれぞれ連結している。
【０００８】
請求項３に記載の発明は、請求項１又は２に記載のモータ部品の製造方法において、前記ブラシ保持部に対してブラシを装着した後、前記ターミナルをフープ材から切り離すとともに前記ブラシスプリングを折り曲げ加工する。
【０００９】
請求項４に記載の発明は、請求項１〜３のいずれか１項に記載のモータ部品の製造方法において、前記ターミナルは、前記フープ材に複数個連続して形成されるものであり、そのブラシ保持部が前記フープ材の長手方向に沿って同一直線上に位置するように形成される。
【００１０】
（作用）
請求項１に記載の発明によれば、ブラシ保持部とブラシスプリングとを一体に備えたターミナルをフープ材にプレス加工する際、そのブラシ保持部がフープ材の連結部及びブラシスプリングにより少なくとも３箇所で支持されるようにターミナルがプレス打ち抜き加工される。そして、ターミナルがフープ材に連結した状態でブラシがブラシ保持部に装着され、その後、該ターミナルがフープ材から切り離される。従って、ブラシ保持部がフープ材に対して３箇所以上で支持されるので、該保持部の上下移動及び捩れるといった無用な移動が抑制される。その結果、ブラシの組み付け作業を容易とすることができる。また、ブラシ保持部は中央に嵌挿孔と該嵌挿孔の両側に一対の保持片を有しており、ブラシの一部を該嵌挿孔に嵌挿した後に該保持片間に圧入することで該ブラシが保持される。従って、ブラシを圧入するだけですむので、ブラシの組み付け作業を容易とすることができる。しかも、ブラシ保持のための特別な部材を必要とすることなくブラシを固定することができるので、部品数が増加しない。更に、このようにブラシを支持すればブラシの有効部分を長くすることができ、ブラシの寿命を長くすることができる。
【００１１】
請求項２に記載の発明によれば、ブラシ保持部は、ブラシスプリングが連結する辺の対向辺の両端部が連結部を介してフープ材にそれぞれ連結される。従って、連結部を少ない数としながら、ブラシ保持部をフープ材に対して確実に安定した状態で支持することができる。
【００１３】
請求項４に記載の発明によれば、各ブラシ保持部がフープ材の長手方向に沿って同一直線上に位置するように、ターミナルがフープ材に複数個連続して形成される。従って、ブラシとブラシ保持部との相対的な位置合せが容易となるので、ブラシの組み付け作業をより容易とすることができる。
【００１４】
【発明の実施の形態】
以下、本発明を具体化した一実施形態を図面に従って説明する。
図１は、小型直流モータの外観斜視図を示す。図１において、モータ１のモータハウジング２は、ヨークハウジング３とエンドフレーム４とから構成され、ヨークハウジング３とエンドフレーム４とで形成された空間に電機子が回転可能に収容される。
【００１５】
エンドフレーム４は全体がカップ形状をなし、図２に示すように、鉄製のエンドフレーム本体５と電気的絶縁材料よりなる合成樹脂製のブラシホルダ６よりなる。エンドフレーム本体５は、図３に示すように、その外側面７の中央部分に筒状のボス部８が形成されている。ボス部８は、図１に示すように、その内側に電機子の回転軸９を支持する軸受１０が配設されるようになっている。
【００１６】
エンドフレーム本体５はその一側が切り欠かれて切り欠き部１１が形成された半カップ形状であって、その切り欠き部１１の切り欠き縁１１ａの中央部分から折り曲げ片１２が延出形成されている。折り曲げ片１２は、三角形状の基部１３と、その基部１３の先端から延びる先端部１４を有している。そして、折り曲げ片１２の基部１３は、前記外側面７と面一となるように延出形成されている。又、折り曲げ片１２の先端部１４は基部１３から下方に屈曲形成されている。又、その切り欠き部１１の切り欠き縁１１ａの両側部には、それぞれ切り込み１５が形成されている。切り込み１５は長方形の空間を形成している。切り込み１５の入り口部分は、前記空間を狭くするように突出部１６が延出形成されている。
【００１７】
突出部１６及びその周囲部分の外側面７は、凹設されて第１凹部１７が形成されている。又、前記切り込み１５の外周縁部分であって第１凹部１７と反対側の外側面７も、同様に凹設されて第２凹部１８が形成されている。従って、図３及び図１０において、第１及び第２凹部１７，１８の面は、外側面７より一段低くなる。
【００１８】
エンドフレーム本体５の外側面７であって、前記ボス部８を挟んで相対向する位置には樹脂導入穴１９が貫通形成されている。又、一対の樹脂導入穴１９の隣接した位置には、治具挿入穴２０が形成されている。
【００１９】
次に、エンドフレーム本体５に形成されるブラシホルダ６について説明する。ブラシホルダ６は、エンドフレーム本体５の切り欠き部１１側に形成される。ブラシホルダ６は、その基端部が前記切り欠き部１１の切り欠き縁１１ａから前方に延出された後に下方に延出形成された側壁部２１が形成されている。前記切り欠き部１１から延出形成された折り曲げ片１２は側壁部２１に内在される。この時、図８に示すように、側壁部２１は折り曲げ片１２の基部１３から下方に屈曲した先端部１４を内在する。そして、側壁部２１は、その上側面２２がエンドフレーム本体５の外側面７と面一になるように形成されている。
【００２０】
側壁部２１の上部両側部には前記切り込み１５側まで延出形成された上壁部２３が形成されている。上壁部２３の外側は、切り込み１５を塞ぐとともに前記第１及び第２凹部１７，１８を埋設していて、その上壁部２３の外側面２４はエンドフレーム本体５の外側面７と面一になるように形成されている。上壁部２３の内側は、前記第１及び第２凹部１７，１８が埋設された埋設部分と協働して切り込み１５の回り及び突出部１６を挟み込むようになっている。従って、側壁部２１と上壁部２３とを有するブラシホルダ６の中央部におけるエンドフレーム本体５に対する上下方向及び前後方向の連結は、折り曲げ片１２の内在によって強固なものとなる。又、ブラシホルダ６の両側部におけるエンドフレーム本体５に対する上下方向及び前後方向の連結は、前記第１及び第２凹部１７，１８が埋設された埋設部分と切り込み１５の回り及び突出部１６の挟み込みによって強固なものとなる。
【００２１】
又、図６に示すように、上壁部２３の内側は、前記側壁部２１の内側とで一対のターミナル収容部２５を形成している。各ターミナル収容部２５は、後述するターミナル３０ａ，３０ｂを保持する保持部２５ａと、前記上壁部２３を貫通する雄型端子貫通孔２６と、前記側壁部２１を貫通する雌型端子貫通孔２７とを備えている。このようなターミナル収容部２５には、図１５に示すようなターミナル３０ａ，３０ｂがそれぞれ収容保持される。
【００２２】
ターミナル３０ａ，３０ｂは、前記保持部２５ａにて保持される基部３１と、該基部３１の一側から略Ｕ字状に折り曲げられ前記雌型端子貫通孔２７から挿入される外部端子（図示略）と連結する雌型端子３２と、該基部３１の他側から折り曲げられ所定の弾性力が得られるように幅方向に蛇行するブラシスプリング３３と、該ブラシスプリング３３の先端部に設けられるブラシ保持部３４とを備えている。又、一方（負極側）のターミナル３０ｂの基部３１にはアース端子片３５が設けられ、該アース端子片３５は前記側壁部２１の外側に露出して前記ヨークハウジング３に接触（接地）するようになっている。このようなターミナル３０ａ，３０ｂは一枚の板材（フープ材）からプレス加工にて形成される。
【００２３】
尚、雌型端子３２には、前記雄型端子貫通孔２６に挿通され外部に露出する雄型端子３６がプレス打ち抜き時において一体に形成され、その後の工程において本実施形態のモータ１では雄型端子３６を切り離して使用している。このように本実施形態では、ターミナル３０ａ，３０ｂはプレス打ち抜き時において雄型端子３６及び雌型端子３２の両方を備えているとともに、エンドフレーム４（ブラシホルダ６）には雄型端子貫通孔２６及び雌型端子貫通孔２７の両方を備えており、雄型端子３６が必要な仕様のモータと雌型端子３２が必要な仕様のモータの両方に対応できるようになっている。つまり、端子の仕様の異なるモータに対応してターミナル３０ａ，３０ｂ及びエンドフレーム４を専用の製造ラインで製造する必要がないので、これら部品を製造する型や設備にかかるコストを低減することができる。
【００２４】
図１６に示すように、ブラシ保持部３４は矩形状に形成され、その中央に矩形状に貫通形成された嵌挿孔３７と、該嵌挿孔３７の両側に設けられ弾性力によりブラシ４０を保持する一対の保持片３８とを備えている。保持片３８は矩形状に形成され、反整流子側に折り曲げられている。この保持片３８には中央に該保持片３８に対応した矩形状の貫通孔３９が設けられ、板厚を薄くすることなく保持片３８の弾性力を調整している。
【００２５】
これに対し、ブラシ４０は、整流子と摺接する摺接面４１ａを有する略直方体形状のブラシ本体４１と、該ブラシ本体４１の裏面４１ｂ（摺接面４１ａと反対側の面）の中央に立設する略直方体形状の凸部４２とを備えている。そして、ブラシ４０は、その凸部４２が前記ブラシ保持部３４の嵌挿孔３７に嵌挿され一対の保持片３８間に圧入して弾性保持されることにより、該ブラシ保持部３４に対して固定される。このとき、保持片３８の先端は凸部４２に対して線接触するようになっており、そのためブラシ４０は安定かつ確実に固定されるようになっている。又、保持片３８は、ブラシ４０の凸部４２の破損を防止すべく貫通孔３９により弾性力が調整されている。
【００２６】
前記エンドフレーム本体５のボス部８の外周には、支持用ボス２８が形成されている。支持用ボス２８は該モータ１の取付箇所の制約によって形成されるものであって、本実施形態ではボス部８の外形を大きくして支持され易くするために形成されている。支持用ボス２８は、本実施形態では、前記ブラシホルダ６と同じ材質で形成され、ブラシホルダ６を成形する際に同時に成形される。つまり、支持用ボス２８は、図６、図７に示すように前記樹脂導入穴１９を介してブラシホルダ６のターミナル収容部２５と繋がっていて、後記するアウトサート成形にてブラシホルダ６を成形する際に樹脂導入穴１９を介して樹脂が回し込まれて支持用ボス２８が形成される。従って、この場合、ブラシホルダ６は樹脂導入穴１９を介して支持用ボス２８と連結されているため、より強固にエンドフレーム本体５に連結されることになる。
【００２７】
次に、各種モータ部品の製造方法について説明する。
図１７において、フープ材５１は、鉄製の帯状板材であって、複数のエンドフレーム本体５及びヨークハウジング３が長手方向（搬送方向）に一定の間隔で形成されている。このフープ材５１に形成された複数のエンドフレーム本体５及びヨークハウジング３は、プレス加工機の深絞り加工によって形成される。そして、この１つのフープ材５１は、そのフープ材５１に形成したエンドフレーム本体５にブラシホルダ６を形成するためのアウトサート成形工程に移る。
【００２８】
アウトサート成形は、フープ材５１に形成された各エンドフレーム本体５に対して行い、そのための金型が用意されている。図１９は、金型をフープ材５１の長手方向に縦断した金型の要部側断面を示し、図２０は、金型をフープ材５１の長手方向に対して直交方向に横断した金型の要部正断面を示す。
【００２９】
金型５２は、下型５３と上型５４とからなる。下型５３はフープ材５１の下側に配設され、エンドフレーム本体５を支持するための凸部５５が形成されている。又、下型５３は、前記側壁部２１、上壁部２３、ターミナル収容部２５等からブラシホルダ６を形成するための凹部５６が形成されているとともに、ターミナル収容部２５から樹脂導入穴１９を介して支持用ボス２８を形成するため連通路５７が形成されている。
【００３０】
一方、上型５４は、フープ材５１の上側に配設され、エンドフレーム本体５を支持するための凹部５８が形成されている。又、上型５４は、前記ブラシホルダ６を形成するための凹部５９が形成されているとともに、支持用ボス２８を形成するため凹部６０が形成されている。そして、凸部５５、各凹部５６，５８，５９，６０及び連通路５７がブラシホルダ６及び支持用ボス２８を成形する際のキャビティ６１，６２となる。
【００３１】
又、図１９に示すように、下型５３と上型５４で形成されるランナー６３は、ゲート６４からフープ材５１の一部が介在するように同フープ材５１まで形成されている。そして、上型５４には、前記ランナー６３に繋がる導入路６５が形成され、同導入路６５を介して射出装置から樹脂が注入されるようになっている。
【００３２】
従って、導入路６５を介して注入された樹脂は、ランナー６３、ゲート６４を介してブラシホルダ６を成形するキャビティ６１に充填される。又、キャビティ６１に充填された樹脂の一部は、図２０に示すように連通路５７及び樹脂導入穴１９を介して支持用ボス２８を成形する際のキャビティ６２に充填される。
【００３３】
そして、各キャビティ６１，６２に充填された樹脂は硬化する。これによって、図１８に示すように、フープ材５１に形成された各エンドフレーム本体５に対してブラシホルダ６と支持用ボス２８が同時にアウトサート成形される。この時、ゲート６４とランナー６３内で硬化した樹脂によって、ブラシホルダ６の側壁部２１とフープ材５１とを連結する連結体２９が形成される。
【００３４】
尚、モータ１の取付箇所の制約によって支持用ボス２８が不要な場合に対応したエンドフレーム４を形成するには、プレス加工機にてフープ材５１に複数のエンドフレーム本体５を加工する際に、樹脂導入穴１９を形成しないエンドフレーム本体５を加工する。この場合、ブラシホルダ６をアウトサート成形するとき、樹脂導入穴１９がないため、支持用ボス２８を成形するキャビティ６２に樹脂が供給されない。従って、上記した支持用ボス２８を成形する金型５２を用いながらも、図１４に示すような支持用ボス２８が不要なエンドフレーム４を製造することができる。
【００３５】
一方、図２１〜図２３に示すように、導電性金属材料よりなるフープ材７１には、一対のターミナル３０ａ，３０ｂが該フープ材７１の長手方向に一定の間隔で複数が形成される。具体的には、先ず、フープ材７１は、プレス打ち抜き加工が施される。この工程では、各ターミナル３０ａ，３０ｂの外形や保持片３８の弾性力を調整する貫通孔３９等が同時に形成される。このとき、図２３に示すように、各ターミナル３０ａ，３０ｂには雌型端子３２とともに雄型端子３６も一体に形成される。
【００３６】
次に、フープ材７１には、プレス折り曲げ加工が施される。この工程では、雌型端子３２、ブラシ保持部３４の保持片３８及びアース端子片３５等、各種折り曲げ箇所が折り曲げられる。尚、この工程において図１５に示す雄型端子３６が必要ない本実施形態のような場合には雄型端子３６（図２３にて破線で示す部分）がプレス加工機により切り離される。そして、図２１及び図２２に示すように、フープ材７１上には、雌型端子３２、ブラシ保持部３４の保持片３８及びアース端子片３５が所定形状に折り曲げられ、かつ雄型端子３６が切り離された各ターミナル３０ａ，３０ｂが形成される。
【００３７】
次に、フープ材７１上の各ターミナル３０ａ，３０ｂには、ブラシ装着装置（図示略）によりブラシ４０が装着される。つまり、ブラシ４０はフープ材７１上に形成された各ターミナル３０ａ，３０ｂに直接装着されるので、ターミナル３０ａ，３０ｂを切り離した後にブラシ４０を装着する場合と比べて、ターミナル３０ａ，３０ｂの位置決め等、煩雑な作業が必要なく装着が容易である。しかも、本実施形態では、ブラシ保持部３４の嵌挿孔３７がフープ材７１の長手方向（搬送方向）に沿って同一直線上に位置するように各ターミナル３０ａ，３０ｂがフープ材７１上に形成されるので、ブラシ４０とブラシ保持部３４との相対的な位置合せが容易となり、よりブラシ４０の組み付け作業が容易となるようになっている。
【００３８】
又、本実施形態の各ターミナル３０ａ，３０ｂは、フープ材７１に対し、ブラシ保持部３４における先端側の辺（ブラシスプリング３３が連結する辺の対向辺）の両端部及び基部３１の一端の３箇所で連結部７２〜７４にて連結している。即ち、ブラシ保持部３４は、これらの内の２つの連結部７２，７３とブラシスプリング３３の各支持点Ｐ１〜Ｐ３による３箇所で支持され、該保持部３４の上下移動及び捩れるといった無用な移動を抑制するようになっている。そのため、ブラシ４０の装着時（装着直前及び装着途中）のブラシ保持部３４の無用な移動を防止できるので、ブラシ４０を装着を容易とすることができる。尚、連結部７２，７３は、形成を容易とするために簡単な形状とした直線状に形成されている。
【００３９】
このようにしてブラシ４０が装着された各ターミナル３０ａ，３０ｂは、フープ材７１から切り離されるとともに、ブラシスプリング３３等が所定形状に折り曲げられ、各ターミナル３０ａ，３０ｂが完成する。
【００４０】
そして、モータ組立工程において、フープ材５１の各ヨークハウジング３及びブラシホルダ６が形成された各エンドフレーム本体５（エンドフレーム４）に組み付け部品等が組み付けられる。つまり、各ヨークハウジング３には電機子や永久磁石等が組み付けられ、エンドフレーム４にはブラシ４０を取着した各ターミナル３０ａ，３０ｂが組み付けられる。そして、フープ材５１からエンドフレーム４が切り離され、その切り離されたエンドフレーム４をフープ材５１上のヨークハウジング３にカシメ固着して、最後に、フープ材５１からヨークハウジング３が切り離されて図１に示す本実施形態のモータ１が完成されている。
【００４１】
次に、上記のように構成した実施形態の特徴を以下に記載する。
（１）本実施形態では、ブラシ保持部３４とブラシスプリング３３とを一体に備えたターミナル３０ａ，３０ｂをフープ材７１にプレス加工する際、そのブラシ保持部３４がフープ材７１の連結部７２，７３及びブラシスプリング３３により少なくとも３箇所で支持されるようにターミナル３０ａ，３０ｂをプレス打ち抜き加工し、次にターミナル３０ａ，３０ｂがフープ材７１に連結した状態でブラシ４０をブラシ保持部３４に装着し、その後、該ターミナル３０ａ，３０ｂをフープ材７１から切り離すようにした。従って、ブラシ保持部３４がフープ材７１に対して３箇所以上で支持されるので、該保持部３４の上下移動及び捩れるといった無用な移動が抑制される。その結果、ブラシ４０の組み付け作業を容易とすることができる。
【００４２】
（２）本実施形態では、ブラシ保持部３４は、ブラシスプリング３３が連結する辺の対向辺の両端部が連結部７２，７３を介してフープ材７１にそれぞれ連結している。従って、連結部７２，７３を少ない数としながら、ブラシ保持部３４をフープ材７１に対して確実に安定した状態で支持することができる。
【００４３】
（３）本実施形態では、ブラシ保持部３４は中央に嵌挿孔３７と該嵌挿孔３７の両側に一対の保持片３８を有しており、ブラシ４０の凸部４２を該嵌挿孔３７に嵌挿した後に該保持片３８間に圧入することで該ブラシ４０を保持するようにした。従って、ブラシ４０を圧入するだけですむので、ブラシ４０の組み付け作業を容易とすることができる。しかも、ブラシ４０の保持のための特別な部材を必要とすることなくブラシ４０を固定することができるので、部品数が増加しない。更に、このようにブラシ４０を支持すればブラシ４０の有効部分（ブラシ本体４１）を長くすることができ、ブラシ４０の寿命を長くすることができる。
【００４４】
（４）本実施形態では、各ブラシ保持部３４がフープ材７１の長手方向に沿って同一直線上に位置するように、ターミナル３０ａ，３０ｂをフープ材７１に複数個連続して形成した。従って、ブラシ４０とブラシ保持部３４との相対的な位置合せが容易となるので、ブラシ４０の組み付け作業をより容易とすることができる。
【００４５】
尚、発明の実施の形態は、上記実施形態に限定されるものではなく以下のように実施してもよい。
・上記実施形態では、ブラシ４０をブラシ保持部３４に圧入して固定するようにしたが、これ以外の固定構造であってもよい。
【００４６】
・上記実施形態のフープ材７１に形成したターミナル３０ａ，３０ｂの数は特に限定されるものではなく適宜変更して実施してもよい。又、各ターミナル３０ａ，３０ｂを個々のフープ材に形成するようにしてもよい。又、フープ材７１は有限長でなくてもよく、ロール状に巻かれた帯状のものであってもよい。
【００４７】
・上記実施形態では、フープ材５１にヨークハウジング３とエンドフレーム本体５とを合わせて形成したが、それぞれが個々に形成されたフープ材を使用して実施してもよい。
【００４８】
・上記実施形態のフープ材５１に形成したヨークハウジング３とエンドフレーム本体５の数は特に限定されるものではなく適宜変更して実施してもよい。又、フープ材５１は有限長でなくてもよく、ロール状に巻かれた帯状のものであってもよい。
【００４９】
上記各実施形態から把握できる請求項以外の技術的思想を以下に記載する。
（イ）前記フープ材（７１）の連結部（７２，７３）は直線状に形成されている。このようにすれば、連結部の形状が簡単となり、該連結部を容易に形成することができる。
【００５０】
【発明の効果】
以上詳述したように、本発明によれば、フープ材上のターミナルに一体形成したブラシ保持部に対してブラシを組み付けるようにしたモータ部品の製造方法であって、そのブラシの組み付け作業を容易とすることができる。
【図面の簡単な説明】
【図１】一実施形態を説明するためのモータの斜視図。
【図２】エンドフレームの斜視図。
【図３】エンドフレーム本体の斜視図。
【図４】エンドフレームの平面図。
【図５】エンドフレームの正面図。
【図６】エンドフレームの底面図。
【図７】エンドフレームの正断面図。
【図８】エンドフレームの側断面図。
【図９】エンドフレーム本体の平面図。
【図１０】エンドフレーム本体の正面図。
【図１１】エンドフレーム本体の底面図。
【図１２】エンドフレーム本体の正断面図。
【図１３】エンドフレーム本体の側断面図。
【図１４】支持用ボスのないエンドフレームの斜視図。
【図１５】エンドフレームとターミナルを示す斜視図。
【図１６】ブラシ保持部の斜視図。
【図１７】ブラシホルダ成形前のフープ材の斜視図。
【図１８】ブラシホルダ成形後のフープ材の斜視図。
【図１９】ブラシホルダ成形金型を説明するための要部側断面図。
【図２０】ブラシホルダ成形金型を説明するための要部正断面図。
【図２１】ターミナルを形成したフープ材の斜視図。
【図２２】ターミナルを形成したフープ材の拡大斜視図。
【図２３】ターミナルを形成した打ち抜き加工直後のフープ材の拡大斜視図。
【符号の説明】
３０ａ，３０ｂ…ターミナル、３３…ブラシスプリング、３４…ブラシ保持部、３７…嵌挿孔、３８…保持片、４０…ブラシ、７１…フープ材、７２，７３…連結部。
【図１】
0003660233.tif 000002
【図２】
0003660233.tif 000003
【図３】
0003660233.tif 000004
【図４】
0003660233.tif 000005
【図５】
0003660233.tif 000006
【図６】
0003660233.tif 000007
【図７】
0003660233.tif 000008
【図８】
0003660233.tif 000009
【図９】
0003660233.tif 000010
【図１０】
0003660233.tif 000011
【図１１】
0003660233.tif 000012
【図１２】
0003660233.tif 000013
【図１３】
0003660233.tif 000014
【図１４】
0003660233.tif 000015
【図１５】
0003660233.tif 000016
【図１６】
0003660233.tif 000017
【図１７】
0003660233.tif 000018
【図１８】
0003660233.tif 000019
【図１９】
0003660233.tif 000020
【図２０】
0003660233.tif 000021
【図２１】
0003660233.tif 000022
【図２２】
0003660233.tif 000023
【図２３】
0003660233.tif 000024